(57)【要約】【課題】簡単な構造に構成でき、かつ、軒樋支持具のテントへの取り付けも、軒樋の軒樋支持具への取り付けも簡易にできる軒樋支持具を提供する。【解決手段】軒樋支持具１は、固定フレーム３ａに引っ掛ける掛部１０と、掛部１０の下方に配され、軒樋２を受け支持する樋支持部２０とがＳ字状に一体に形成されている。樋支持部２０は、受け支持本体部２１と、軒樋２の前端部２ａを固定する前端固定片２２と、軒樋２の後端部を固定する後端固定片２３とを備えている。【選択図】図１
2017214784.tif 000002
【特許請求の範囲】
【請求項１】
テントを固定するために軒先側に架設された固定フレームに掛け下げられ、軒樋をその長手方向の複数個所で支持する軒樋支持具であって、
前記固定フレームに引っ掛ける掛部と、該掛部の下方に配され、前記軒樋を受け支持する樋支持部とがＳ字状に一体に形成されており、
前記樋支持部は、受け支持本体部と、前記軒樋の前端部を固定する前端固定片と、前記軒樋の後端部を固定する後端固定片とを備えていることを特徴とする軒樋支持具。
【請求項２】
請求項１において、
前記樋支持部は、板状体を加工形成してなり、
前記前端固定片は、前記樋支持部の前部に突片状に形成され、前記受け支持本体部に重なるように後方に折り曲げが可能とされている一方、前記後端固定片は、前記樋支持部の後部に切り込み加工により形成され、前記受け支持本体部に重なるように前方に折り曲げが可能とされていることを特徴とする軒樋支持具。
【発明の詳細な説明】
【技術分野】
【０００１】
本発明は、テントの軒先に取り付けられる軒樋を支持する軒樋支持具に関する。
【背景技術】
【０００２】
屋外に設置されるテントには軒樋を支持する軒樋支持具が取り付けにくいため、一般住宅などに用いる軒樋（たとえば、特許文献１参照）の取り付けは困難である。そのような軒樋および軒樋支持具を用いようとすれば、軒樋支持具を固定するための構造物をテントに付加する必要がある。なお、テント専用の軒樋として、軒樋とそれをテントに吊り支持するための軒樋支持具が一体となった軒樋セットが提案されている（たとえば、特許文献２参照）。
【先行技術文献】
【特許文献】
【０００３】
【特許文献１】特開２００２−３３２７２９号公報
【特許文献２】特開２００３−９７０９７号公報
【発明の概要】
【発明が解決しようとする課題】
【０００４】
しかしながら、テントは一時的に設置するものであるため、時間をかけてテントに構造物を付加して軒樋を取り付けても、テント設営中に雨が降らず、無用となる可能性がある。その一方で、雲行きが怪しくなってから軒樋を取り付けようとすれば、取り付けに時間がかかり間に合わないおそれがある。
【０００５】
また、軒樋セットを用いれば取り付けは多少しやすくなるが、利用頻度が少なく費用対効果が低いものであるから、テントのためにわざわざ軒樋セットを購入するまでにはいたらない。
【０００６】
ようするに、上述した内容から判断すれば、テントへの軒樋の取り付けの条件としては、軒樋を支持する軒樋支持具が簡単な構成であること、それを簡易に設置できることが求められる。
【０００７】
本発明は、このような事情を考慮して提案されたもので、その目的は、簡単な構造に構成でき、かつ、軒樋支持具のテントへの取り付けも、軒樋の軒樋支持具への取り付けも簡易にできる軒樋支持具を提供することにある。
【課題を解決するための手段】
【０００８】
上記目的を達成するために、請求項１に記載の軒樋支持具は、テントを固定するために軒先側に架設された固定フレームに掛け下げられ、軒樋をその長手方向の複数個所で支持する軒樋支持具であって、固定フレームに引っ掛ける掛部と、掛部の下方に配され、軒樋を受け支持する樋支持部とがＳ字状に一体に形成されており、樋支持部は、受け支持本体部と、軒樋の前端部を固定する前端固定片と、軒樋の後端部を固定する後端固定片とを備えている。
【０００９】
請求項２に記載の軒樋支持具は、樋支持部は板状体を加工形成してなり、前端固定片は、樋支持部の前部に突片状に形成され、受け支持本体部に重なるように後方に折り曲げが可能とされている一方、後端固定片は、樋支持部の後部に切り込み加工により形成され、受け支持本体部に重なるように前方に折り曲げが可能とされていることを特徴とする。
【発明の効果】
【００１０】
請求項１に記載の軒樋支持具によれば、上述した構成となっているため、簡単な構造に構成でき、かつ、軒樋支持具のテントへの取り付けも、軒樋の軒樋支持具への取り付けも簡易にできる。その結果、軒樋の製造コストおよび施工コストを低減化することができる。また、樋支持部材の樋支持部を従来一般住宅に使用されていた軒樋の形状に合わせれば、従来の軒樋をそのまま利用することができる。また、軒樋支持具が前端固定片および後端固定片を備えているので軒樋の支持をしっかりとできる。
【００１１】
請求項２に記載の軒樋支持具によれば、上述した構成となっているため、軒樋の固定を簡単にできる。また、前端固定片および後端固定片が簡易に形成されているため、製造コストを低減化できる。
【図面の簡単な説明】
【００１２】
【図１】本発明の一実施形態に係る軒樋支持具の分解斜視図である。
【図２】（ａ）は図１の軒樋支持具を取り付けるテントの斜視図、（ｂ）は軒樋支持具をテントに取り付けた状態における（ａ）のＡ−Ａ線に対応した拡大縦断面図である。
【発明を実施するための形態】
【００１３】
以下に、本発明の実施の形態について、添付図面をもとに説明する。まず、以下に説明する軒樋支持具１の共通的な基本構成について説明する。
【００１４】
図１に示した軒樋支持具１は、テント３（図２（ａ）参照）を固定するために軒先側に架設された固定フレーム３ａに掛け下げられ、軒樋２をその長手方向の複数個所で支持するように構成された支持具である。この軒樋支持具１は、固定フレーム３ａに引っ掛ける掛部１０と、掛部１０の下方に配され、軒樋２を受け支持する樋支持部２０とがＳ字状に一体に形成されており、樋支持部２０は、受け支持本体部２１と、軒樋２の前端部２ａを固定する前端固定片２２と、軒樋２の後端部２ｂを固定する後端固定片２３とを備えている。
【００１５】
このような軒樋支持具１によれば、上記のような構成となっているため、軒樋支持具１を簡単な構造に構成でき、その結果、製造コストを低く抑えることができる。また、軒樋支持具１が上記のような構成となっているため、軒樋支持具１のテント３への取り付けも、テント３へ取り付けた軒樋支持具１への軒樋２の取り付けも簡易に行うことができる。そのため、施工コストもあまりかからない。
【００１６】
また、軒樋支持具１は、軒樋２の前端部２ａ（図２（ｂ）参照）を固定する前端固定片２１および軒樋２の後端部２ｂ（図２（ｂ）参照）を固定する後端固定片２３を備えているので、簡易な構造であっても、軒樋２をしっかりと支持することができる。
【００１７】
ついで、図１に示した実施形態に係る軒樋支持具１の詳細について、以下に順に説明する。
【００１８】
この軒樋支持具１は、上述したように掛部１０および樋支持部２０で構成され、それらがステンレスなどの金属帯板材料で一体に加工形成されている。
【００１９】
掛部１０は、図１に示すように、固定フレーム３ａに吊り下げるために上部が凸湾曲したフック形状とされている。なお、掛部１０と樋支持部２０とは図１のように連成一体化されており、連成部分３０には特に境界部はない。このような連成一体化の構成は成形が簡易となるので望ましい。
【００２０】
掛部１０は、本体部１１がテント３の固定フレーム３ａの断面外形に合致し、上方に突出した略半円（半円よりもやや大きめ）の形状とされる。その本体部１１の開放側の端部には凹所１３への固定フレーム３ａの装着をガイドするガイド片１２が形成されている。つまり、掛部１０の凹所１３に固定フレーム３ａが嵌まり込むように掛部１０を押し下げた際に、固定フレーム３ａの押圧により、本体部１１が半円よりもやや大きめであるためガイド片１２および本体部１１の端部が外側に開くように弾性変形し、固定フレーム３ａが凹所１３に完全に嵌まり込んだときには、概ね元の状態に復帰する。
【００２１】
なお、掛部１０の形状は固定フレーム３ａの断面外形に合致したものが望ましく、種々の形状の固定フレーム３ａに合わせて種々の形状が許容されることは言うまでもない。
【００２２】
一方、樋支持部２０は板状体を加工形成して、軒樋２を受け支持できるように凹湾曲した形状となっており、その凹湾曲部分が受け支持本体部２１を構成する。受け支持本体部２１には、長手方向に沿って外面側に突出した補強用のリブ２４が形成されている。
【００２３】
また、前端固定片２２は、樋支持部２０の前部に突片状に形成され、受け支持本体部２１に重なるように後方に折り曲げが可能とされている一方、後端固定片２３は、樋支持部２０の後部に切り込み加工により形成され、受け支持本体部２１に重なるように前方に折り曲げが可能とされている。
【００２４】
図１の軒樋支持具１では、樋支持部２０の前端固定片２２が板状体の幅方向の中央の一部が延びた形状とされ、一方、後端固定片２３は２片とされ、板状体の幅方向の両側端のそれぞれをＬ字状に切り込みを入れて形成されている。
【００２５】
なお、前端固定片２２、後端固定片２３はこのような構造、形状に限られず、その他のものであってもよい。たとえば、前端固定片２２が２片であってもよいし、後端固定片２３がいずれか一方の側端または中央の切り込みで形成された１片のものであってもよい。
【００２６】
このような軒樋支持具１が複数用いられ、図３（ａ）に例示したようなテント３の軒先に離間状態に取り付けられ、それらで軒樋２を支持するようになっている。
【００２７】
具体的には図２（ｂ）に示すように、軒樋支持具１は、その掛部１０がテント３の固定フレーム３ａに引っ掛けられて吊り下げられ、樋支持部２０の受け支持本体部２１の凹湾曲部分で軒樋２が受け支持されるようになっている。軒樋支持具１でこのように軒樋２を支持することで、軒樋２はテント３の幕材３ｂの前垂れ部３ｄの下端の略真下に位置するように保持される。軒樋２を適正な位置に調整した後に、前端固定片２２を後方に折り曲げ、後端固定片２３を前方に折り曲げることで軒樋２を軒先に固定することができる。
【００２８】
このようにして、幕材３ｂの屋根面部３ｃ、前垂れ部３ｄを伝ってくる雨水を軒樋２で受け止めることができる。また、複数の軒樋支持具１により軒樋２の水勾配を設定することで、軒樋２を傾斜状態に設置することができる。その結果、軒樋２に落下した雨水を長手方向に沿って流し、いずれかの支柱３ｅ側に落下させることができる。
【００２９】
軒樋２としては、テント３用の小さめのものを取り付けてもよいが、一般住宅で使用される軒樋２の寸法に合うような樋支持部２０を形成すれば、一般住宅用のものをそのまま用いることができる。また、軒樋支持具１は固定フレーム３ａに引っ掛けるだけで設置でき、かつ軒樋２は樋支持部２０に嵌め入れるだけで設置できるので、雨が降り始めてからでも十分に間に合う。
【００３０】
複数の軒樋支持具１で水勾配を設定するためには、設置したときに下端位置が異なるように高さ寸法の異なる軒樋支持具１を準備すればよい。また、水勾配はわずかな傾斜でもよいため、掛部１０と樋支持部２０との連成部分３０の傾斜を垂直に近づけるように、図２（ｂ）の白抜き矢印方向へ曲げることで、高さ寸法を変更することもできる。
【００３１】
また、連成部分３０に連結構造を設け、掛部１０と樋支持部２０とを分離自在となるようにしてもよい。このような分離自在な構成とすることで、掛部１０を同一寸法にし、高さ寸法が種々異なる樋支持部２０を用いて組み合わせれば、軒樋２を傾斜させて設置することができる。
【符号の説明】
【００３２】
１          軒樋支持具
１０        掛部
１１        本体部
１２        ガイド片
１３        凹所
２０        樋支持部
２１        受け支持本体部
２２        前端固定片
２３        後端固定片
２４        リブ
３０        連成部分
２          軒樋
２ａ        前端部
２ｂ        後端部
３          テント
３ａ        固定フレーム
３ｂ        幕材
３ｃ        屋根面部
３ｄ        前垂れ部
３ｅ        支柱
【図１】
2017214784.tif 000003
【図２】
2017214784.tif 000004
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
テントを固定するために軒先側に架設された固定フレームに掛け下げられ、軒樋をその長手方向の複数個所で支持する軒樋支持具であって、
前記固定フレームに引っ掛ける掛部と、該掛部の下方に配され、前記軒樋を受け支持する樋支持部とがＳ字状に一体に形成されており、
前記樋支持部は、板状体を加工形成してなり、受け支持本体部と、前記軒樋の前端部を固定する前端固定片と、前記軒樋の後端部を固定する後端固定片とを備えており、
前記前端固定片は、前記樋支持部の前部に突片状に形成され、前記受け支持本体部に重なるように後方に折り曲げが可能とされている一方、前記後端固定片は、前記樋支持部の後部に切り込み加工により形成され、前記受け支持本体部に重なるように前方に折り曲げが可能とされていることを特徴とする軒樋支持具。
【手続補正２】
【補正対象書類名】明細書
【補正対象項目名】０００８
【補正方法】変更
【補正の内容】
【０００８】
上記目的を達成するために、請求項１に記載の軒樋支持具は、テントを固定するために軒先側に架設された固定フレームに掛け下げられ、軒樋をその長手方向の複数個所で支持する軒樋支持具であって、固定フレームに引っ掛ける掛部と、掛部の下方に配され、軒樋を受け支持する樋支持部とがＳ字状に一体に形成されており、樋支持部は、樋支持部は板状体を加工形成してなり、受け支持本体部と、軒樋の前端部を固定する前端固定片と、軒樋の後端部を固定する後端固定片とを備えており、前端固定片は、樋支持部の前部に突片状に形成され、受け支持本体部に重なるように後方に折り曲げが可能とされている一方、後端固定片は、樋支持部の後部に切り込み加工により形成され、受け支持本体部に重なるように前方に折り曲げが可能とされていることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】変更
【補正の内容】
【００１１】
さらに請求項１に記載の軒樋支持具によれば、上述した構成となっているため、軒樋の固定を簡単にできる。また、前端固定片および後端固定片が簡易に形成されているため、製造コストを低減化できる。